(57)【要約】【課題】底部をガセット形式に形成した積層フィルム製の自立袋の分野において、液状の内容物を充填した場合でも内容物を取り出す際に、袋の側部のヒートシール部を持ちやすく且つ滑ることもなく、安全に内容物を取り出すことのできる滑り防止機能付き自立袋をコストアップすることなく提供する。【解決手段】滑り防止機能付き自立袋を、底部にガセット部を設けて形成し、両側の側部シール部のうち、少なくとも一方の側部シール部を、内側にシール幅を広げてなる広幅シール部を有する形状に形成し、その広幅シール部に滑りを防止するための複数個の凸部及び／又は凹部を、その高さまたは深さが０．３〜３ｍｍの範囲となるように設けて構成する。【選択図】図１
2009241949.tif 000002
【特許請求の範囲】
【請求項１】
袋の胴部が前後の壁面の積層フィルムの両側の端縁部を縦方向の側部シール部でヒートシールして形成され、袋の底部が積層フィルムを内側に折り返してなるガセット部を有する形式で形成され、該ガセット部がその中央部が低くその両側が袋の側部に向かって徐々に高くなる船底形の底部シール部でヒートシールされて形成される自立袋であって、前記両側の側部シール部のうち、少なくとも一方の側部シール部が、内側にシール幅を広げてなる広幅シール部を有する形状に形成され、該広幅シール部に滑りを防止するための複数個の凸部及び／又は凹部が、その高さもしくは深さが０．３〜３ｍｍの範囲に設けられていることを特徴とする滑り防止機能付き自立袋。
【請求項２】
前記自立袋のもう一方の側部シール部にも、内側にシール幅を広げてなる広幅シール部が設けられると共に、該広幅シール部またはその下方の底部シール部の側部のいずれかに、１個以上の前記凸部及び／又は凹部が設けられていることを特徴とする請求項１記載の滑り防止機能付き自立袋。
【請求項３】
前記凸部または凹部の平面形状が、円形状、矩形状、その他の多角形状、直線状、折れ線状、曲線状、波形状のいずれかであることを特徴とする請求項１または２に記載の滑り防止機能付き自立袋。
【請求項４】
前記自立袋の上部の一方のコーナー部に、外周をヒートシールしてなる狭い幅の注出口部が設けられていることを特徴とする請求項１乃至３のいずれかに記載の滑り防止機能付き自立袋。
【発明の詳細な説明】
【技術分野】
【０００１】
本発明は、滑り防止機能付き自立袋に関し、更に詳しくは、袋の底部をガセット形式で形成して自立性を付与した自立袋の分野において、液状などの内容物が充填された場合でも、充填された内容物を取り出す際に、袋の側部などのヒートシール部を掴んで持っても滑ることがなく、安全に袋を持って内容物を取り出すことができる滑り防止機能付き自立袋に関する。
【背景技術】
【０００２】
従来、自立袋としては、底部をガセット形式で形成して自立性を付与したスタンディングパウチ形式などの自立袋が、自立性に優れ取り扱い易く、また、立体容器としての特徴も一部備え、容量の割にコンパクトに包装できることから、固形物や、粒状、粉状等の内容物のほか、液状の内容物まで広範囲の内容物の密封包装用に汎用されるようになっている。
【０００３】
このようなスタンディングパウチ形式の自立袋は、通常、プラスチックフィルムを主体とする積層フィルムで製造されており、積層フィルム自体は柔軟性材料であるため、特に、液状の内容物を密封包装した場合、内容物を取り出す際に、うっかり袋の胴部を強く掴むと、内容物が開封された袋の口部から飛び出し、外にこぼしてしまう問題があった。
また、袋の側部などのヒートシール部を掴んだ場合は、内容物が飛び出すことはないが、ヒートシール部自体は、面積が狭いため掴みにくく、更に、ヒートシール部は滑りやすいため、袋を落としてしまうという問題があった。
【０００４】
このような、内容物を取り出す際の袋の持ちやすさを改善した袋として、例えば、袋の側部にその積層フィルムを延長して把手部を設けた自立袋がある（特許文献１参照）。
しかし、袋の側部に把手部を設けるためには、積層フィルムを比較的大きく延長する必要があり、積層フィルムの使用量の増加が大きく、コストアップが大きくなる問題があった。
従って、袋の積層フィルムの使用量の増加を、できるだけ小さくしてコストアップを抑えると共に、袋の側部のヒートシール部に、何らかの滑り防止手段を設けて、この部分を指で掴んでも滑ることがなく、袋を持ちやすくできるようにすることが効果的と考えられる。
このような、袋の側部のヒートシール部に滑り防止手段を設けて、袋を持ちやすくしたような袋に関する特許文献は見当たらない。只、目的は異なるが、袋に設けられた注出路を容易に開封できるようにするために、注出路を開封する切断誘導線の外側の切除部の側部のヒートシール部に、指掛け孔または凹凸模様からなる１以上の滑り止め手段を設けた易開口性パウチがある（特許文献２参照）。
【特許文献１】特開２００２−１７９０９５号公報（第２頁〜第４頁、図１〜図６）
【特許文献２】特開２０００−５３１４８号公報（第２頁〜第４頁、図１、図２）
【発明の開示】
【発明が解決しようとする課題】
【０００５】
本発明は、前述したような問題点を解消するためになされたものであり、その課題は、袋の底部をガセット形式で形成して自立性を付与した自立袋の分野において、液状などの内容物が密封包装されている場合でも、内容物を取り出す際に、自立袋の側部のヒートシール部を指で掴んで袋を持ちやすく、且つ、その掴んだ部分が滑りにくく、高齢者など力の弱い人でも安全に袋を持って内容物を取り出すことができるようにした滑り防止機能付き自立袋をコストアップすることなく提供することである。
【課題を解決するための手段】
【０００６】
上記の課題は、以下の本発明により解決することができる。
即ち、請求項１に記載した発明は、袋の胴部が前後の壁面の積層フィルムの両側の端縁部を縦方向の側部シール部でヒートシールして形成され、袋の底部が積層フィルムを内側に折り返してなるガセット部を有する形式で形成され、該ガセット部がその中央部が低くその両側が袋の側部に向かって徐々に高くなる船底形の底部シール部でヒートシールされて形成される自立袋であって、前記両側の側部シール部のうち、少なくとも一方の側部シール部が、内側にシール幅を広げてなる広幅シール部を有する形状に形成され、該広幅シール部に滑りを防止するための複数個の凸部及び／又は凹部が、その高さもしくは深さが０．３〜３ｍｍの範囲に設けられていることを特徴とする滑り防止機能付き自立袋からなる。
前記凸部及び／又は凹部の高さもしくは深さは、０．３〜３ｍｍの範囲が好ましく、０．５〜２ｍｍの範囲が更に好ましい。凸部及び／又は凹部の高さもしくは深さが０．３ｍｍ未満の場合は、十分な滑り防止機能を得難くなるため好ましくない。また、凸部及び／又は凹部の高さもしくは深さが３ｍｍを越える場合は、既に十分な滑り防止機能が得られており、その必要性がなく、むしろヒートシール部の積層フィルムが傷められる危険性が増し、自立袋の強度が低下する恐れがあるため好ましくない。
【０００７】
また、請求項２に記載した発明は、前記自立袋のもう一方の側部シール部にも、内側にシール幅を広げてなる広幅シール部が設けられると共に、該広幅シール部またはその下方の底部シール部の側部のいずれかに、１個以上の前記凸部及び／又は凹部が設けられていることを特徴とする請求項１記載の滑り防止機能付き自立袋からなる。
請求項３に記載した発明は、前記凸部または凹部の平面形状が、円形状、矩形状、その他の多角形状、直線状、折れ線状、曲線状、波形状のいずれかであることを特徴とする請求項１または２に記載の滑り防止機能付き自立袋からなる。
【０００８】
請求項４に記載した発明は、前記自立袋の上部の一方のコーナー部に、外周をヒートシールしてなる狭い幅の注出口部が設けられていることを特徴とする請求項１乃至３のいずれかに記載の滑り防止機能付き自立袋からなる。
【０００９】
本発明において、自立袋の製造に用いる積層フィルムは、特に限定はされず、従来、スタンディングパウチなどの自立袋に用いられている公知の積層フィルムはいずれも使用することができる。
また、本発明において、自立袋の底部のガセット部をヒートシールする船底形の底部シール部は、ガセット部の中央部が高さが低くその両側から袋の側部に向かって徐々に高くなる形状のシールパターンであれば何でもよく、例えば、ガセット部の中央部の高さの低いヒートシール部を、所定幅の直線状のヒートシール部を水平方向に設けた形状とし、その両側から袋の側部に向かって徐々に高くなる形状のヒートシール部を、前記水平方向に設けた直線状のヒートシール部の両側から袋の側部に向かって直線状に徐々に高くなる形状として形成してもよく、また、ガセット部の中央部の高さの低いヒートシール部と、その両側から袋の側部に向かって徐々に高くなる形状のヒートシール部の両方を円弧状などの曲線状に形成した形状としてもよい。
【００１０】
また、自立袋の上部の一方のコーナー部に、外周をヒートシールしてなる狭い幅の注出口部を設ける場合、その注出口部の開封位置には、印刷による切り取り線のほか、ノッチやハーフカット線などの易開封性手段を組み合わせて設けることが好ましい。
更に、注出口部の両面の積層フィルムには、注出口部の開口性をよくするために、熱エンボスなどの手段で膨らみ部を設けることが好ましい。
【００１１】
本発明において、自立袋の少なくとも一方の側部シール部に、そのシール幅を内側に広げて形成する広幅シール部の幅は、最大部で１５〜３５ｍｍであることが好ましい。
最大部の幅が１５ｍｍ未満の場合は、その広幅シール部に滑りを防止するために十分な前記凸部及び／又は凹部を設けることが難しくなると共に、その部分を指で掴んで袋を持つ際にも、幅が狭く持ち難くなるため好ましくない。また、最大部の幅が３５ｍｍを越える場合は、既に指で掴み易くするためのスペース、および滑りを防止するために十分な前記凸部及び／又は凹部を設けるスペースがあり、その必要がなく、むしろ自立袋の内部の容積が小さくなるため好ましくない。
【発明の効果】
【００１２】
請求項１に記載した発明によれば、滑り防止機能付き自立袋を、袋の胴部が前後の壁面の積層フィルムの両側の端縁部を縦方向の側部シール部でヒートシールして形成され、袋の底部が積層フィルムを内側に折り返してなるガセット部を有する形式で形成され、該ガセット部がその中央部が低くその両側が袋の側部に向かって徐々に高くなる船底形の底部シール部でヒートシールされて形成される自立袋であって、前記両側の側部シール部のうち、少なくとも一方の側部シール部が、内側にシール幅を広げてなる広幅シール部を有する形状に形成され、該広幅シール部に滑りを防止するための複数個の凸部及び／又は凹部が、その高さもしくは深さが０．３〜３ｍｍの範囲に設けられた構成としているので、自立袋の製造に使用する積層フィルムを水蒸気その他のガスバリヤー性、遮光性に優れた構成にすることにより、内容物の保存性に優れた自立袋とすることができる。
また、液状などの内容物が密封包装された自立袋は、底部の構成により優れた自立性が付与される。
内容物を取り出す際には、自立袋の上部のヒートシール部を切り取って開封することにより、両側の側部シール部のうち、少なくとも一方の側部シール部が、内側にシール幅を広げてなる広幅シール部を有する形状に形成され、該広幅シール部に滑りを防止するための複数個の凸部及び／又は凹部が、その高さもしくは深さが０．３〜３ｍｍの範囲に設けられているので、前記広幅シール部に設けられた複数個の凸部及び／又は凹部の部分を容易に指で掴んで袋を持つことができ、また、指と袋が滑ることがなく、高齢者など力の弱い人でも安全に袋を傾けて内容物を取り出すことができる。
また、前記広幅シール部は、側部シール部の幅を内側に広げて形成しているので、特に、自立袋の製造に使用する積層フィルムの量が増えることもなく、殆どコストアップすることなく滑り防止機能付き自立袋を製造することができる。
【００１３】
請求項２に記載した発明によれば、請求項１に記載した発明の自立袋の構成において、前記自立袋のもう一方の側部シール部にも、内側にシール幅を広げてなる広幅シール部が設けられると共に、該広幅シール部またはその下方の底部シール部の側部のいずれかに、１個以上の前記凸部及び／又は凹部が設けられた構成としているので、請求項１に記載した発明の作用効果に加えて、自立袋に充填された内容物を取り出す際の袋の持ち方に個人差があっても、持ち方の自由度が増すため、一層容易に且つ安全に袋を持って内容物を取り出すことができる。
【００１４】
請求項３に記載した発明によれば、請求項１または２に記載した発明の自立袋の構成において、前記凸部または凹部の平面形状が、円形状、矩形状、その他の多角形状、直線状、折れ線状、曲線状、波形状のいずれかの形状に形成された構成としているので、請求項１または２に記載した発明の作用効果に加えて、前記凸部または凹部の形状と大きさ、およびその配列の設定により、一層滑り防止効果を向上でき、袋を持ちやすくすることができる。
【００１５】
請求項４に記載した発明によれば、請求項１乃至３のいずれかに記載した発明の自立袋の構成において、前記自立袋の上部の一方のコーナー部に、外周をヒートシールしてなる狭い幅の注出口部が設けられた構成としているので、請求項１乃至３のいずれかに記載した発明の作用効果に加えて、例えば、自立袋に充填された液状の内容物を口径の小さなボトルなどの他の容器に移し替えて使用する場合でも、内容物を外にこぼすことなく安全に移し替えることができる。
【発明を実施するための最良の形態】
【００１６】
以下に本発明の滑り防止機能付き自立袋の製造に用いる積層フィルム、および滑り防止機能付き自立袋の実施の形態について図面を用いて説明する。
先ず、本発明の滑り防止機能付き自立袋の製造に用いる積層フィルムは、特に限定はされず、スタンディングパウチなどの自立袋に用いられている公知の積層フィルムはいずれも使用できる。
自立袋の壁面に用いる積層フィルムと底面に用いる積層フィルムには、同じ構成の積層フィルムを用いてもよいが、必要に応じて異なる構成の積層フィルムを用いることもできる。
【００１７】
前記積層フィルムとして、簡単な構成では、基材フィルム層にシーラント層を積層した構成の積層フィルムが用いられるが、袋に充填される内容物の種類やその量、或いは、水蒸気その他のガスバリヤー性、遮光性、各種の機械的強度など必要とされる性能に応じて、上記基材フィルム層とシーラント層との間などに水蒸気その他のガスバリヤー層や、遮光層、強度向上層などを積層した構成の積層フィルムを使用することができる。
上記基材フィルム層、水蒸気その他のガスバリヤー層、遮光層、強度向上層、シーラント層などは、それぞれを単独の層で形成してもよいが、複数の層を積層して形成することもできる。
【００１８】
前記基材フィルム層としては、ポリエチレンテレフタレート、ポリエチレンナフタレートなどのポリエステルの二軸延伸フィルム、ナイロン６、ナイロン６６、ＭＸＤ６（ポリメタキシリレンアジパミド）などのポリアミドの二軸延伸フィルム、二軸延伸ポリプロピレンフィルムなどのプラスチックフィルムを好適に使用できるほか、合成紙、紙なども使用することができる。
これらは単独で使用してもよく、また、複数を組み合わせて積層して使用することもできる。
【００１９】
前記ガスバリヤー層としては、エチレン・酢酸ビニル共重合体ケン化物（ＥＶＯＨ）、ポリ塩化ビニリデン（ＰＶＤＣ）、ＭＸＤ６、ポリアクリロニトリル（ＰＡＮ）などのフィルムのほか、アルミニウム箔などの金属箔、或いは、シリカ、アルミナ、酸化亜鉛、酸化マグネシウム、ＩＴＯなどの無機酸化物やアルミニウムなどの金属の蒸着層、またはＰＶＤＣやポリビニルアルコール（ＰＶＡ）、ポリアクリル酸（ＰＡＡ）などの塗膜層を設けた二軸延伸ナイロンフィルム（ＯＮフィルム）、二軸延伸ポリエチレンテレフタレートフィルム（ＰＥＴフィルム）、二軸延伸ポリプロピレンフィルム（ＯＰＰフィルム）などを使用することができる。
【００２０】
前記無機酸化物や金属の蒸着層は、蒸着やスパッタリング、イオンプレーティングなどの手段で、前記基材フィルム上に厚みが２００〜１２００Å程度になるように堆積させて形成することができる。
前記無機酸化物の蒸着層は、単独の層で形成してもよいが、複数の層で形成することにより一層優れたガスバリヤー性を得ることができる。
また、前記無機酸化物の蒸着層は、その接着性を向上させ、或いは亀裂などの損傷を防止して優れたガスバリヤー性を有効に発揮させるため、その上下の面に接着性向上層、保護層、ガスバリヤー性向上層などの目的で、反応型アクリル系樹脂、ポリウレタン系樹脂、シランカップリング剤を含有させたアクリル系樹脂、金属アルコキシドを含有させた水溶性高分子、エチレン・酢酸ビニル共重合体ケン化物などの樹脂層を設けて複合層としてガスバリヤー層を形成することができる。
【００２１】
前記ガスバリヤー層のうち、アルミニウム箔、またはアルミニウムの蒸着層を設けたフィルムは、不透明であるため遮光層を兼ねることもできる。
前記強度向上層としては、前記基材フィルムのいずれかを適宜追加積層してもよく、二軸延伸高密度ポリエチレンフィルムなどを防湿層を兼ねて積層することもできる。
前記基材フィルム層とガスバリヤー層、遮光層、強度向上層との積層には、公知のドライラミネーション法または押し出しラミネーション法（サンドイッチラミネーション法）を用いることができる。
【００２２】
前記シーラント層には、線状低密度ポリエチレン（Ｌ・ＬＤＰＥ）のほか、低密度ポリエチレン（ＬＤＰＥ）、中密度ポリエチレン（ＭＤＰＥ）、高密度ポリエチレン（ＨＤＰＥ）、エチレン・αオレフィン共重合体、エチレン・酢酸ビニル共重合体、エチレン・アクリル酸共重合体、エチレン・アクリル酸エステル共重合体、アイオノマーなどを使用することができる。
シーラント層の積層は、上記の樹脂をフィルム状に製膜し、ドライラミネーション法または押し出しラミネーション法で積層する方法、或いは、上記の樹脂を基材フィルム層またはガスバリヤー層などの積層面に押し出しコートして積層する方法などを採ることができる。但し、内容物がシーラント層に浸透しやすいもの、またはそれを含むものの場合は、ドライラミネーション法で積層することが好ましい。
【００２３】
前記線状低密度ポリエチレン（Ｌ・ＬＤＰＥ）は、ヒートシールの安定性や耐内容物性、例えば界面活性剤に対する耐ストレスクラッキング性などに優れており、これらの性能を必要とする内容物の包装用に適している。
また、エチレン・αオレフィン共重合体でシングルサイト触媒を用いて重合したものは、分子量分布の幅が狭く、共重合比も安定しているため、低温ヒートシール性や、熱間シール性に優れており、本発明の滑り防止機能付き自立袋のように、底部がガセット形式で形成され、ヒートシール部にフィルムの重なりの差による段差のある袋のシーラント層にはシール抜けによるピンホールの発生を防止できる点で適している。
【００２４】
次に、以上のような積層フィルムを用いて製造する本発明の滑り防止機能付き自立袋について図面を用いて説明する。但し、本発明は、その要旨を越えない限り、これらの図面に限定されるものではない。
図１は、本発明の滑り防止機能付き自立袋の第１の実施例の構成を示す正面図である。  図２は、本発明の滑り防止機能付き自立袋の第２の実施例の構成を示す正面図である。  図３は、本発明の滑り防止機能付き自立袋の第３の実施例の構成を示す正面図である。  図４は、本発明の滑り防止機能付き自立袋の第４の実施例の構成を示す正面図である。  図５は、本発明の滑り防止機能付き自立袋の第５の実施例の構成を示す正面図である。  図６は、本発明の滑り防止機能付き自立袋の第６の実施例の構成を示す正面図である。      
【００２５】
図１に示した滑り防止機能付き自立袋１００は、袋をスタンディングパウチ形式に形成したものであり、袋の底部が前後の壁面の積層フィルム１、１′の下部の間に、底面の積層フィルムを内側に折り返して底面の積層フィルム折り返し部２まで挿入してなるガセット部４を有する形式で形成され、内側に折り込まれた底面の積層フィルムの両側の下端近傍には、この場合、半円形の底面の積層フィルム切り欠き部３a 、３b が設けられ、ガセット部４が、内側が両側から中央部にかけて円弧状に凹状となる船底形のシールパターンの底部シール部５でヒートシールして形成され、袋の胴部は前後の壁面の積層フィルム１、１′の両側の端縁部を縦方向の側部シール部６a 、６b でヒートシールして形成されるが、この場合、両側の側部シール部６a 、６b のうち、図において右側の側部シール部６b は、袋の上端から下方に中間部を越えて袋の下寄りの位置にかけて、通常はシール幅が５ｍｍ程度のところを、図示したように、シール幅を内側に１５ｍｍ程度広げて最大部のシール幅が２０ｍｍとなる広幅シール部を有する形状に形成し、その広幅シール部に直径が４ｍｍの円形で前面側が凸状となる凸部１３と前面側が凹状となる凹部１４とを、凸部１３を横並びに２個とその下に凹部１４を１個とを配置したパターン１単位として、それぞれの間隔を４ｍｍ程度あけて、縦方向に繰り返し配列して設け、また、図において左側の側部シール部６a は、袋の高さ方向の中間部の一定領域に、シール幅を内側に円弧状に広げて、最大部のシール幅が２０ｍｍとなる広幅シール部を有する形状に形成し、その広幅シール部に直径４ｍｍの円形で前面側が凸状となる凸部１３と前面側が凹状となる凹部１４とを、広幅シール部の円弧に沿って、交互に４ｍｍ程度の間隔をあけて縦方向に配列して設けて構成したものである。
尚、自立袋の上部は、上部シール部７でヒートシールするが、この部分は内容物の充填口に使用するため、内容物の充填後にヒートシールされる。また、上部シール部７の下側の側部シール部６a の外側端部には開封用のノッチ１２を設けて構成したものである。
このような構成を採ることにより、自立袋に充填された内容物を取り出す際に、上部シール部７をノッチ１２を利用して切り取って開封した後、いずれか一方、または両方の側部シール部の広幅シール部に配列して設けられた凸部１３と凹部１４の部分を指で掴んで袋を持つことができるので、持ちやすく且つ滑ることもなく、高齢者など力の弱い人でも安全に自立袋を持って内容物を取り出すことができる。
【００２６】
図２に示した滑り防止機能付き自立袋２００は、図１に示した滑り防止機能付き自立袋１００の構成において、袋の上部の一方のコーナー部（図において左側のコーナー部）に、その外周を注出口部シール部８でヒートシールしてなる斜め外側上方に向く狭い幅の注出口部２１を、その両側に切り欠き部１０a 、１０b を設けて突出する形状に設けると共に、注出口部２１の前後の積層フィルム１、１′には、注出口部２１の先端部近傍からその基部を越えて袋の内部側に至る領域に、断面が台形状に外側に膨らむ膨らみ部Ｓを前後で対称形となるように設け、また、注出口部２１の先端側の開封位置には、易開封性手段として、ハーフカット線１１とその上側の端部にノッチ１２を設けて構成したものであり、その他の構成は全て図１に示した滑り防止機能付き自立袋１００と同様に形成して構成したものである。
このような構成を採ることにより、図１に示した滑り防止機能付き自立袋１００で説明した作用効果に加えて、例えば、自立袋２００に液状の内容物が充填され、その内容物を口径の小さなボトルなどの他の容器に移し替えて使用する場合でも、注出口部２１を利用して外にこぼすことなく安全に内容物を移し替えることができる。
更に、別の実施例として、図には示していないが、上記注出口部２１を設けた位置に、注出口部２１に替えて、例えば、プラスチックの成形体よりなるキャップ付きの注出口を取り付けることもできる。プラスチックの成形体よりなるキャップ付きの注出口は、硬さがあるため、内容物を注出する際に、注出の途中で注出口が閉塞するようなことがなく、また、内容物を複数回に分割して使用する場合でも、キャップにより再封できるので、安全に繰り返し使用することができる。
【００２７】
図３に示した滑り防止機能付き自立袋３００は、図１に示した滑り防止機能付き自立袋１００の構成において、図において右側の側部シール部６b の広幅シール部に設けた前記凸部１３と凹部１４の配列パターンのみを、図示したように、凹部１４を中心としてその両側に凸部１３を各１個、合計３個を横並びに配置し、その下に凸部１３を２個を横並びにそれぞれの間隔を横方向には２ｍｍ、縦方向には３ｍｍ程度あけて配置したパターンを１単位として、それを縦方向に繰り返し配列したパターンに変更して設けたものであり、その他の構成は全て図１に示した滑り防止機能付き自立袋１００と同様に形成して構成したものである。
このような構成を採った場合も、図１に示した滑り防止機能付き自立袋１００で説明した作用効果と同様な作用効果を得ることができる。
【００２８】
図４に示した滑り防止機能付き自立袋４００は、図１に示した滑り防止機能付き自立袋１００の構成において、図において右側の側部シール部６b の広幅シール部に設けた前記凸部１３と凹部１４の配列パターンのみを、図示したように、凸部１３を中心としてその両側に凹部１４を各１個、合計３個を横並びに配置し、その下に凹部１４を２個を横並びに配置し、更にその下に、凸部１３を３個を横並びに配置しその下に凸部１３を２個を横並びに、それぞれ横方向の間隔を２ｍｍ、縦方向の間隔を３ｍｍ程度あけて配置したパターンを１単位として、それを縦方向に繰り返し配列したパターンに変更して設けたものであり、その他の構成は全て図１に示した滑り防止機能付き自立袋１００と同様に形成して構成したものである。
このような構成を採った場合も、図１に示した滑り防止機能付き自立袋１００で説明した作用効果と同様な作用効果を得ることができる。
【００２９】
図５に示した滑り防止機能付き自立袋５００は、図１に示した滑り防止機能付き自立袋１００の構成において、両側の側部シール部６a 、６b の広幅シール部に設けた前記円形の凸部１３と凹部１４の形状とその配列パターンのみを、以下のように変更して設けたものであり、その他の構成は全て図１に示した滑り防止機能付き自立袋１００と同様に形成して構成したものである。
即ち、形状については、幅が１．５ｍｍで長さが３．５ｍｍ程度の長方形状の凸部１３に統一し、これを図において右側の側部シール部６b の広幅シール部には、前記長方形状の凸部１３を４個を×印形に互いに接触しないように間隔をあけて配置し、これを横並びに２個配置したパターンを１単位として、これを縦方向に１．５ｍｍ程度の間隔をあけて繰り返し配列して設け、また、図において左側の側部シール部６a の広幅シール部には、前記長方形状の凸部１３を横向きにした形状で、広幅シール部の円弧に沿って、それぞれ３ｍｍの間隔をあけて縦方向に配列して設けて構成したものである。
このような構成を採った場合も、図１に示した滑り防止機能付き自立袋１００で説明した作用効果と同様な作用効果を得ることができる。
【００３０】
図６に示した滑り防止機能付き自立袋６００は、図１に示した滑り防止機能付き自立袋１００の構成において、両側の側部シール部６a 、６b に設ける広幅シール部の形状を、図において右側の側部シール部６b については、上端部が最大部でシール幅を３３ｍｍとし、そこから袋の下部寄りの位置にかけて傾斜直線状に幅が狭くなり、下部では通常のシール幅の５ｍｍ程度になる形状とし、その広幅シール部に、線幅が２．５ｍｍ程度で上向きの円弧と下向きの円弧をつないだ波線形状の前面側が凸状となる凸部１３を、広幅シール部の幅に応じて、その長さのみを変えて５ｍｍ程度の間隔をあけて縦方向に配列して設け、また、図において左側の側部シール部６a については、その広幅シール部の形状を、図示したように、袋の長さ方向の中間部よりやや上の位置から内側に曲線状にシール幅が広がり、中間部から下方で最大部となり、シール幅１５ｍｍで一定となる形状に形成し、この広幅シール部には前記凸部１３は設けずに、その下の底部シール部５の側部に前記波線形状の凸部１３を縦向きに１個設けて構成したものである。
このような構成を採った場合も、略図１に示した滑り防止機能付き自立袋１００で説明した作用効果と同様な作用効果を得ることができる。
【００３１】
以下に、実施例を挙げて本発明を更に具体的に説明する。
【実施例１】
【００３２】
図１に示した構成の滑り防止機能付き自立袋を、以下の構成の積層フィルムを袋の壁面と底面とに共通に用いて、以下の寸法で製袋して実施例１の滑り防止機能付き自立袋とした。
（１）積層フィルム（１、１′）の構成
（外側）二軸延伸ナイロンフィルム（厚み１５μｍ）・印刷層／接着剤／酸化珪素蒸着層・二軸延伸ポリエチレンテレフタレートフィルム（厚み１２μｍ）／接着剤／線状低密度ポリエチレンフィルム（厚み８０μｍ）
上記各フィルムの貼り合わせは、ドライラミネーション法で行い、各フィルムの間の接着剤は、ドライラミネート用の二液硬化型ポリウレタン系接着剤（乾燥時の塗布量３ｇ／ｍ2 ）を使用したものである。
【００３３】
（２）滑り防止機能付き自立袋の寸法
自立袋の外形寸法は、幅が１５０ｍｍで、高さ（長さ）が２２０ｍｍとし、底部のガセット部４の高さ、即ち、袋の底辺から底面の積層フィルム折り返し部２までの高さは４５ｍｍとした。
ガセット部４をヒートシールする底部シール部５のシールパターンは、図示した通り、内側が両側から中央部にかけて円弧状に凹状となるシールパターンとした。
また、自立袋の両側の側部シール部６a 、６b の広幅シール部を含む形状、および広幅シール部に設けた前記凸部１３および凹部１４の形状、寸法は、図１に示し、また、図１で説明した通りである。只、前記凸部１３および凹部１４の高さまたは深さは、それぞれ最大部で１ｍｍとした。
【実施例２】
【００３４】
図２に示した構成の滑り防止機能付き自立袋を作製することとし、前記実施例１の滑り防止機能付き自立袋の構成において、自立袋の上部の図において左側のコーナー部に幅が５５ｍｍで長さが５２ｍｍのスペースを取り、そこに注出口部２１を注出口部シール部８に示した形状に設けた。細部については、ハーフカット線１１を設けた位置の全幅が２２ｍｍで、ハーフカット線１１から注出口部の基部までの長さが２３ｍｍ、注出口部２１の先細り角度は略１５°になるように設けた。
また、注出口部２１の前後の積層フィルム１、１′には、それぞれ注出口部２１の先端部近傍から注出口部の基部を越えて袋の内部に至る領域に、外側に膨らむ膨らみ部Ｓを、その断面が台形状で全長が５５ｍｍとなるように熱プレス成形して設けた。
上記注出口部２１を追加して設けた他は全て実施例１と同様に形成して実施例２の滑り防止機能付き自立袋を作製した。
【００３５】
以上のように作製した実施例１、２の滑り防止機能付き自立袋について、その持ちやすさを評価するため、実施例１の滑り防止機能付き自立袋には、内容物として市販のレトルトカレーを充填し、脱気シールにより密封して包装体とした。
また、実施例２の滑り防止機能付き自立袋には、内容物としてシャンプーを充填し、脱気シールにより密封して包装体とした。
上記実施例１の包装体については、加熱した後、側部シール部６b の広幅シール部に設けられた凸部１３および凹部１４の部分を指で掴んで持ち上げたところ、持ちやすく、また滑ることもなく、持ちやすさの向上効果を確認できた。また、加熱後の包装体は、側部のヒートシール部を指で掴んでも熱さを感じるが、この部分に前記凸部１３および凹部１４が設けられているので、感じる熱さが緩和され、この点でも持ちやすくなっていた。
実施例２の包装体については、注出口部２１をハーフカット線１１に沿って切り取って開封した後、側部シール部６b の広幅シール部に設けられた凸部１３および凹部１４の部分を指で掴んで持ち上げ、反対側の側部シール部６a の下部を手で支えて自立袋を傾けて、専用のボトルに内容物の移し替えを行ったところ、全部を移し替えるまでに２０秒程度を要したにもかかわらず、この間、楽に持つことができ、滑ることもなく、安全に移し替えることができ、持ちやすさの向上効果を確認できた。
【産業上の利用可能性】
【００３６】
本発明の滑り防止機能付き自立袋は、特に、液状の内容物を密封包装する場合に好適に使用できるものであるが、滑り防止機能を有効に活用できるものであれば何でもよく、充填される内容物や用途に関して特に制限はない。
【図面の簡単な説明】
【００３７】
【図１】本発明の滑り防止機能付き自立袋の第１の実施例の構成を示す正面図である。
【図２】本発明の滑り防止機能付き自立袋の第２の実施例の構成を示す正面図である。
【図３】本発明の滑り防止機能付き自立袋の第３の実施例の構成を示す正面図である。
【図４】本発明の滑り防止機能付き自立袋の第４の実施例の構成を示す正面図である。
【図５】本発明の滑り防止機能付き自立袋の第５の実施例の構成を示す正面図である。
【図６】本発明の滑り防止機能付き自立袋の第６の実施例の構成を示す正面図である。
【符号の説明】
【００３８】
１、１′  壁面の積層フィルム
２  底面の積層フィルム折り返し部
３a 、３b   底面の積層フィルム切り欠き部
４  ガセット部
５  底部シール部
６a 、６b   側部シール部
７  上部シール部
８  注出口部シール部
１０a 、１０b   切り欠き部
１１  ハーフカット線
１２  ノッチ
１３  前面側が凸状となる凸部
１４  前面側が凹状となる凹部
２１  注出口部
Ｓ  膨らみ部
１００、２００、３００、４００、５００、６００  滑り防止機能付き自立袋
【図１】
2009241949.tif 000003
【図２】
2009241949.tif 000004
【図３】
2009241949.tif 000005
【図４】
2009241949.tif 000006
【図５】
2009241949.tif 000007
【図６】
2009241949.tif 000008